(57)【要約】      （修正有）【課題】コンパクトな設計で、生産が容易であり、かつ補完的な電気装置に対する柔軟な接続を確保できる電気コネクタを提供する。【解決手段】電気コネクタ組立体２００は、コネクタハウジング２０４、およびこのコネクタハウジングによって支持された少なくとも１つの電気端子２２０を有する。電気端子は、結合する部分、およびマウンティング部を画定し、マウンティング部は、フラットフレックスケーブル２２を電気端子のマウンティング部にマウントするように縮れたときに、フレックスケーブルを通って貫通するようにひだ歯を構成するひだ部材２６７を有する。【選択図】図１
0003178926.tif 000002
【実用新案登録請求の範囲】
【請求項１】
補完的な電気部品の電気端子に離脱可能に電気的に接続するように構成される接触面を画定する結合する部分と；
マウンティング部材およびこのマウンティング部材から延びるひだ部材を有し、このひだ部材は、第１の方向に沿ってフラットフレックスケーブルを貫通するように構成され、さらには、このフラットフレックスケーブルを電気端子のマウンティング部分にマウントするようにひだ折りされたときに、折り重ねられ、かつ第１の方向とはほぼ反対の第２の方向に沿ってフラットフレックスケーブル内に貫通する柔軟なひだ歯を有するマウンティング部とを有し、
ひだ部材は、結合する部分がマウンティング部から間隔をおいて配置される方向とほぼ平行である方向に沿ってマウンティング部材から延びる電気端子。
【請求項２】
ひだ部材は、接触面から離れる方向に沿ってマウンティング部材から延びる請求項１記載の電気端子。
【請求項３】
ひだ部材は、接触面に向かう方向に沿ってマウンティング部材から延びる請求項１記載の電気コネクタ。
【請求項４】
結合する部分は、近位の領域、末端領域、および近位の領域と末端領域との間を接続した柔軟な屈曲した中間の領域を有しており、その近位の領域は、補完的な電気端子と接触するように構成された接触面を画定し、それによって柔軟な屈曲した中間の領域を、近位の領域が末端領域に向かって圧縮するように曲げさせる、請求項１記載の電気端子。
【請求項５】
近位の領域は、ひだ部材がマウンティング部材から延びる方向とほぼ同一である方向に沿って圧縮する請求項４記載の電気端子。
【請求項６】
近位の領域が、ひだ部材がマウンティング部材から延びる方向とはほぼ対向する方向に沿って圧縮する請求項４記載の電気端子。
【請求項７】
近位の領域は、電気端子をコネクタハウジングに固定するように構成された支持部材を伴ない、さらには近位の領域は、マウンティング部を重なり合わせる請求項４記載の電気端子。
【請求項８】
末端領域は、近位の領域およびマウンティング部を重なり合わせる請求項７記載の電気端子。
【請求項９】
結合する部分とマウンティング部の間に接続される中間の部分をさらに有し、その結合する部分およびマウンティング部は、それぞれ、間隔を置いた中間の部分の第１および第２の位置から延びる請求項１記載の電気端子。
【請求項１０】
結合する部分およびマウンティング部が、相互に重なり合うように同一の方向に中間の部分から延びる請求項９記載の電気端子。
【請求項１１】
結合する部分は、近位の領域、末端領域、および近位と末端領域との間を接続される屈曲した領域を画定して、近位および末端の領域が相互に重なり合うような請求項１０記載の電気端子。
【請求項１２】
屈曲領域は、ほぼ１８０°屈曲を画定する請求項１１記載の電気端子。
【請求項１３】
それぞれのひだ歯は、先細の遠方端を画定する請求項１記載の電気端子。
【請求項１４】
補完的な電気コネクタと結合するように構成された、結合するインターフェースを画定する第１のハウジング表面、およびフラットフレックスケーブルを固定するように構成されるマウンティングインターフェースを画定する第２のハウジング表面を有するコネクタハウジングと；
電気端子は、第１のハウジング表面から外方に面する、結合する部分と、第２の表面から外方に面し、さらに電気端子のマウンティング部をフラットフレックスケーブルに電気的に接続するように、フラットフレックスケーブルを貫通するように構成される複数のひだ歯を有する少なくとも１つのひだ部材を有するマウンティング部とを画定し、ハウジングによって支持された少なくとも１つの電気端子と；
ひだ部材は、結合する部分がマウンティング部材から間隔をおいて配置される方向とほぼ平行である方向に沿ってマウンティング部材から延び、電気端子のマウンティング部が、フレックスケーブルに電気に接続された後に、フラットフレックスケーブルをコネクタハウジングに対して圧縮するように構成された負荷軽減組立体と
を有する電気コネクタ組立体。
【請求項１５】
ひだ部材は、結合する部分から離れる方向に沿ってマウンティング部材から延びる請求項１４記載の電気端子。
【請求項１６】
ひだ部材は、結合する部分に向かう方向に沿ってマウンティング部材から延びる請求項１４記載の電気コネクタ。
【請求項１７】
結合する部分は、近位の領域、末端領域、および近位の領域と末端領域との間に接続された柔軟な屈曲している中間の領域を有し、近位の領域は、補完的な電気端子と接続するように構成された接触面を画定し、それによって、柔軟な屈曲している中間の領域を、近位の領域が末端領域に対して圧縮するように曲げさせる請求項１４記載の電気端子。
【請求項１８】
近位の領域は、ひだ部材が、マウンティング部材から延びる方向とほぼ同じである方向に沿って圧縮する請求項１７記載の電気端子。
【請求項１９】
ひだ部材が、マウンティング部材から延びる方向とほぼ反対である方向に沿って近位の領域を圧縮する請求項１７記載の電気端子。
【考案の詳細な説明】
【技術分野】
【０００１】
この開示は、電気コネクタに係り、特にひだ嵌め（crimp fitting）を有する電気端子に関する。
【背景技術】
【０００２】
電気コネクタは、対向するマウンティング端部、および第１および第２の補完的な電気装置と電気通信に配置される(placed in electrical communication)ように構成された結合する終端とを画定する複数の電気伝導性端子を支持するハウジングを従来から有する。例えば、フラットフレックスケーブルは、第１の電気装置を電気コネクタのマウンティング端に接続するために広く使用される。したがって、電気コネクタが第２の電気装置に結合されるときは、第１および第２の電気装置は、電気通信に配置される。フラットフレックスケーブルは、高価な、そして、特には、重量級ケーブルハーネス用に置換えとして使用が増加することが分かってきている。
【考案の概要】
【０００３】
１つの実施例にしたがって、電気端子は、結合する部分とこの結合して統合するマウンティング部分とを有する。結合する部分は、補完的な電気部品の電気端子に、取外し可能に、電気的に接続するように構成される。マウンティング部は、ひだ部材を有する。このひだ部材は、第１の方向に沿ってフレックスケーブルを通って貫通するように構成され、そしてさらに、折り返され、かつフラットフレックスケーブルを電気端子のマウンティング部にマウントするように縮れた（crimped）ときに第１の方向とはほぼ反対の第２の方向に沿ってフラットフレックスケーブル内に貫通するように構成された柔軟なひだ歯を有する。ひだ部材は、結合する部分がマウンティング部から間隔をおいて配置される方向とほぼ平行な方向に沿ってマウンティング部材から延びる。
【０００４】
付随された線図とともに読まれたときに、以下の好ましい実施例の詳述と同様に、先行する概要も、一層よく理解される。考案を例証する目的のために、図面は、目下好まれる実施例を示す。しかしながら、この考案は、図面に開示された特定の手段には限定されない。図面の説明は、以下のとおりである：
【図面の簡単な説明】
【０００５】
【図１】電気コネクタ、およびこの電気コネクタにマウントされたフラットフレックスケーブルを有する電気コネクタ組立体の斜視図である；
【図２Ａ】図１において例証された電気コネクタの斜視図である；
【図２Ｂ】図２Ａにおいて例証された電気コネクタの他の斜視図である；
【図３Ａ】図２Ａ−Ｂにおいて例証された電気コネクタの電気コネクタハウジングの斜視図である；
【図３Ｂ】図３Ａにおいて例証された電気コネクタハウジングの他の斜視図である；
【図４】図２Ａ−２Ｂにおいて例証された電気コネクタの電気端子の斜視図である；
【図５Ａ】ひだ形状でない配位において電気コネクタにマウントされたフラットフレックスケーブルを示す図１において例証された電気コネクタ組立体の斜視図である；
【図５Ｂ】図５Ａにおいて例証された電気コネクタ組立体の他の斜視図である；
【図５Ｃ】電気コネクタの電気端子にマウントされたフラットフレックスケーブルを示す電気コネクタ組立体の他の斜視図である；
【図６Ａ】図１において例証されたが、代りの実施例にしたがって構築された電気コネクタハウジングを有する電気コネクタに近似している電気コネクタの斜視図である；
【図６Ｂ】例えば図１および６Ａにおいて例証されたタイプのフレキシブルケーブルコネクタを支持するように構成された負荷軽減組立体（strain relief assembly）を有する電気コネクタ組立体の概略的組立体の図である；さらに、
【図６Ｃ】図６Ｂにおいて例証された電気コネクタ組立体の平面図である；
【図７】図１において例証された電気コネクタ組立体を有する安全拘束（safety restraint）システムを有する車両の一部分についての図解的図である；
【図８】図７において示される乗物安全拘束システムにおいて使用される着座センサ装置の平面図である；
【図９】図８において示される着座センサ装置の一部分の底面図である；
【図１０】図８において示される着座センサ装置の一部分であるが、単に明瞭さのためにのみフレキシブルプリント回路を示していない、拡大斜視図である；
【図１１】ホール効果センサ組立体の接続に先立って、フレキシブルプリント回路マットの一部分、フレーム、および３つの端子の部分的な平面図である；
【図１２】図１０において示されるセンサ組立体の第１のハウジング部材の斜視図である；
【図１３】図１２において示されるホール効果センサにおける第１のハウジング部材を有する図１０において示されるセンサ組立体の第１半組立体の断面図である；
【図１４】切欠区分を備えた、図１３において示される第１の半組立体の斜視図である；
【図１５】図１０において示されるセンサ組立体において使用される他のハウジング部材の斜視図である；
【図１６】図１５において示される第２のハウジング部材および永久磁石を有する図１０において示されるセンサ組立体において使用される第２の半組立体の断面図である；
【図１７】押下げられた位置に移動された第２の半組立体を有する図１０におけるような斜視図である；
【図１８】図１０において示されるセンサ組立体をフレキシブルプリント回路マットに接続するために使用される端子のうちの１つの平面図である；
【図１９】図１８において示される端子の側面図である；
【図２０】２０−２０線に沿って得られた図１９において示される端子の断面図である；
【図２１】図２Ａにおいて例証されたが、内部に面するひだ部材を有する電気接点を有する電気コネクタに近似している電気コネクタの斜視図である；
【図２２】組立中に、曲っていない構成における電気接点を示す図２１において例証された電気コネクタの斜視図である；
【図２３Ａ】図２２において例証された電気接点のうちの１つの斜視図である；
【図２３Ｂ】図２１において例証された電気コネクタにおいて組み立てられるように示された、図２３において例証された電気接点の斜視図である；
【図２４】図２１において例証された電気コネクタに近似しているが、代りの実施例にしたがって構築される電気コネクタの斜視図である；さらに
【図２５】図２４において例証された電気コネクタの電気接点のうちの１つの斜視図である；
【図２６Ａ】図２５において例証されたが、代りの実施例にしたがって構築された電気接点に近似している電気接点の斜視図である；そして
【図２６Ｂ】曲っていない構成における電気接点を示す、図２６Ａにおいて例証された電気接点の斜視図である。
【考案を実施するための形態】
【０００６】
これは、２０１０年９月７日に提出された米国仮特許出願番号６１／３８０，４６０、２０１０年９月７日に提出された米国仮特許出願番号６１／３８０，４３８、および２０１１年１月２８日に提出された米国仮特許出願番号６１／４３７，５４３の利益を要求し、それぞれの開示が、あたかもその全体においてここに述べられるかのように引用によりこれによって組込まれる。
【０００７】
この出願は、主題によって、２０１０年９月７日に提出された米国特許出願番号２９／３６９，３２２、２０１０年９月７日に提出された米国特許出願番号２９／３６９，３３３、２０１１年１月２８日に提出された米国特許出願番号２９／３８４，３２３、および２０１１年１月２８日に提出された米国特許出願２９／３８４，３２５に対する２０１１年６月１日に提出された米国特許出願番号２９／３９３，２７０、２０１１年６月１日に提出された米国特許出願番号２９／３９３，２７６、２０１１年６月１日に提出された米国特許出願番号２９／３９３，２８０、および２０１１年６月１日に提出された米国特許出願番号２９／３９３，２８２に関連づけられる。それぞれ、上記の識別された特許出願の主題は、ここに、あたかもその全体の中で述べられるかのように、これにより引用によって組込まれる。
【０００８】
初めは、図１−２Ｂを参照して、電気コネクタ組立体２００は、電気コネクタ２０２およびフラットフレックスケーブルを有しており、また、電気コネクタ２０２上にマウントされるように構成されるフレキシブルプリント回路（ＦＰＣ）２２として参照される。電気コネクタ２０２は、誘電性、または電気絶縁性であるコネクタハウジング２０４を有する。コネクタハウジング２０４は、頂部端部（top end）２０６、対向する底部端部(bottom end)２０８、前方端部（front end）２１０、対向する後端部（opposed rear end）２１２、および対向する側面２１４を画定するほぼ長方形のハウジング本体２０５、を有している。対向する側面２１４は、長手方向（longitudinal）Ｌに沿って別々に間隔を置かれ、前方端部および後方端部、２１０および２１２は、長手方向Ｌに関してほぼ垂直である横方向Ａに沿って間隔を置かれ、さらに、頂部および底部端部、２０６および２０８は、横方向Ａおよび長手方向Ｌに関してほぼ垂直である横断（transverse）方向Ｔに沿って間隔を置かれる。例証された実施例にしたがって、横断方向Ｔは、垂直に方向合わせされ（oriented）、さらに、電気コネクタ２０２の方向付けが使用の間に変わることができることは認識されるべきであるけれども、長手方向および横方向、ＬおよびＡは、水平に方向合わせされる。例証された実施例にしたがって、コネクタハウジング２０４は、長手方向に延びるように例証される。
【０００９】
コネクタハウジング２０４は、頂部端部２０６に近似して配置された結合するインターフェース２１６、および底部端部２０８に近似して配置されたマウンティングインターフェース２１８を画定する。結合するインターフェース２１６が、第２の補完的な電気コネクタと効果的に係合するように構成されている間に、マウンティングインターフェース２１８は、フラットフレックスケーブル２２と効果的に係合するように構成される。
【００１０】
電気コネクタ２０２は、電気的に伝導性であって、かつコネクタハウジング２０４によって支持される複数の電気端子２２０を有している。電気コネクタ２０２は、望まれるような任意の数の電気端子２２０を有することができる。電気端子２２０は、それぞれ、電気コネクタ２０２と結合する補完的電気部品の補完的電気端子に電気的に、例えば、取り外し可能に接続するように構成される結合する部分２２２、さらには、フラットフレックスケーブル２２に電気的に接続するように構成される対向するマウンティング部２２４を画定する。結合する部分２２２は、マウンティングインターフェース２１６に隣接して配置され、さらに、対向されたマウンティング部２２４は、マウンティングインターフェース２１８に隣接して配置される。特に結合する部分２２２は、コネクタハウジング２０４の頂部端部２０６に沿ってほぼ横方向に延び、かつ頂部端部２０６から外方に延びることができ、さらに電気端子２２０のマウンティング部２２４は、底部端部２０８に沿ってほぼ横方向に延びることができ、かつ底部端部２０８から外方に延びることができる。したがって、結合する部分２２２は、頂部端部２０６を画定することができるコネクタハウジング２０４の第１のハウジング表面から外方に面し、さらに、マウンティング部２２４は、底部端部２０８を画定することができるコネクタハウジングの第２のハウジング表面から外方に面している。
【００１１】
今度は、図３Ａ−Ｂを参照して、コネクタハウジング２０４は、ハウジング本体２０５によって伴われた複数の接点整列部材２２６、および接点保持部材２２８を有する。接点整列部材２２６は、コネクタハウジング２０４上の所望の整列した構成における電気端子２２０を支持するように構成され、さらに、接点保持部材２２８は、整列した構成における電気端子２２０を支持するように構成される。例証された実施例にしたがって、整列部材２２６は、隣接するリブ２３０間に配置された支持スロット２３２を作成するように、ハウジング本体２０５から突出するリブ２３０として、例証されている。特に、リブ２３０は、ハウジング本体２０５の底部端部２０８から横断方向に、外方に、または下方に、突出するように例証されている。またリブ２３０は、所望のあらゆる寸法および形状も画定することができることは認識されるべきであるけれども、リブ２３０は、横方向に延び、ハウジング本体２０５の後部端２１２から前方端部２１０に延びる。支持スロット２３２は、隣接したリブ２３０およびハウジング本体２０５の底部端部２０８によって、少なくとも、部分的に画定され、さらに、したがってリブ２３０の横断方向の外側表面に関してくぼんだ所に置かれる。
【００１２】
接点保持部材２２８は、ハウジング本体２０６の頂部端部２０６内に横断方向下方に延びる支持ポケット２３４として例証される。コネクタハウジング２０４は、隣接したポケット２３４間に配置された複数の分割壁２３６を画定する。支持ポケット２３４は、後部端部２１２に向かって前方端部２１０から横方向後方に延び、さらにハウジング本体２０５が、ポケット２３４の後部端部の上部壁を形成する張出し２３５を画定するように終端する。したがって、支持ポケット２３４は、張出し２３５の下に延びる。分割壁２３６は、ハウジング本体２０５の前方端部２１０を越えて前方に延びることができ、そして、さらに支持ポケット２３４の横方向の境界を画定する側壁２３８を画定することができる。分割壁２３６は、支持ポケット２３４における電気端子２２０の初期の挿入およびその後の支持を容易にするために側壁２３８内に延びるノッチ２４０を画定することができる。
【００１３】
コネクタハウジング２０４は、さらに、補完的な電気装置と結合する構成において電気コネクタ２０２を支持する補完的な装置の補完的な係合部材と係合するように構成される少なくとも１つの係合部材２４２を有することができる。例えば、補完的な係合部材は、補完的な電気装置によって配置するか、または伴うことができるか、あるいは、補完的な電気装置との結合構造における電気コネクタ２０２の支持において支援するように電気コネクタ２０２と係合する補助構造体によって配置するか、または伴なうことができる。
【００１４】
図３Ａ−Ｂにおいて例証されるように、係合部材２４２は、ハウジング本体２０５の対向する側面２１４内に長手方向に延びるスロット２４６として提供される１対のガイドレール２４４をそれぞれ有することができ、かつ、それぞれ前部および後部端部、２１０および２１２の間に横方向に延びる。例証されるように、スロット２４６は、後部端部２１２から前方端部２１０に延びることができる。ガイドレール２４４は、電気コネクタ２０２が補完的な電気コネクタと結合するとともに、補完的なガイド部材を受けるように構成される。
【００１５】
係合部材２４２は、ハウジング本体２０５から前方に延びる１対のラッチアーム２４７を、さらに有することができる。例えば、ラッチアーム２４７は、ガイドレールから垂直方向に（例えば下方に）ずれたか、または代りに垂直にガイドレール２４４と整列した位置に対向する側面２１４から前方に延びる。ラッチアーム２４７は、補完的な電気装置と係合する構成における電気コネクタ２０２を支持するように、外方に返し鉤のついた前方端部２４８を画定することができる。代りに、図６Ａにおいて例証されるように、電気コネクタ２０２の係合部材２４２は、コネクタハウジング２０４の側面２１４から横方向に延びる１対のガイドレール２４９を有することができ、さらに前方および後方端部、２１０および２１２の間に延びることができる。したがって、電気コネクタ２０２が、１つの実施例に従って例証されることは認識されるべきであり、さらに電気コネクタ２０２は、１対の補完的な電気装置を電気的に接続するように多数の実施例にしたがって構築することができる。
【００１６】
今度は図４を参照して、それぞれの電気端子２２０は、バッテリ端子として構成することができ、さらに、結合する部分２２２およびマウンティング部２２４を画定する端子本体、および、結合する部分２２２とマウンティング部２２４との間を接続された中間の部分２５０を有することができる。例証された実施例にしたがって、結合する部分２２２、マウンティング部２２４、および中間の部分２５０は、相互に統合される。さらに、例証された実施例にしたがって、結合する部分２２２およびマウンティング部２２４は、それぞれ、同一の方向に沿って、中間の部分２５０の第１および第２の間隔をおいたそれぞれの位置から延び、それは、結合する部分２２２およびマウンティング部２２４が、横断方向Ｔに整列されるようである。したがって、横断方向Ｔにおいて延びる線は、結合する部分２２２およびマウンティング部２２４の両方を通って通過する。中間の部分２５０は、垂直に延び、かつ、第１の、または対向する第２の、または、頂部端部２５０ａを画定する脚体、頂部端部２５０ａから間隔をおいて配置され、第２の位置を画定することができる底部端部２５０ｂとして例証される。したがって、結合する部分２２２は、頂部端部２５０ａから延び、かつ片持ち支持され、さらに、マウンティング部２２４は、底部端部２５０ｂから延びてかつ片持ち支持される。
【００１７】
例証された実施例にしたがって、結合する部分２２２は、近位の領域２５２ａ、末端領域２５２ｃ、および近位の領域２５２ａと末端領域２５２ｃとの間に接続される柔軟な中間の屈曲している領域２５２ｂを画定する腕２５２を有する。近位の領域２５２ａは、中間の部分２５０から角度をなしてずれた方向に、中間の部分２５０の頂部端部２５０ａから横方向後方に延びる。例証されるように、結合する部分２２２の近位の領域２５２ａは、中間の部分２５０に関してほぼ垂直に延びる。中間の領域２５２ｂは、屈曲しており、例証された実施例にしたがう近位の領域２５２ａの後端からほぼ１８０°のほぼＵ−形の屈曲を画定することができる。したがって、末端領域２５２ｃは、エルボ２５４、およびこのエルボ２５４から前方に、かつ横断方向外方に延びる接点部分２５６に対する近位の領域２５２ａにほぼ平行の方向に沿って、中間の領域２５２ｂから前方に延びる。接点部分２５６は、ほぼ鈎形状のように例証され、かつ第１の接触面２５８、および中間の部分２５０に向かって接触面２５８から下方に延びる遠方端２６０を画定する。この遠方端２６０は、横断方向Ｔにおいて例証されるような中間の部分２５０と、ほぼ垂直方向に整列することができる。
【００１８】
マウンティング部２２４は、中間の部分２５０から角度をなしてずれた方向に中間の部分２５０の底部端部２５０ｂから横方向後方に延びる、ほぼ平坦なマウンティングプレート２６２として構成することができるマウンティング部材を有することができる。例証されるように、マウンティングプレート２６２は、中間の部分２５０に関してほぼ垂直で、結合する部分２２２の近位の領域２５２ａとほぼ平行である方向に沿って、水平面内にほぼ水平に延びる。マウンティングプレート２６２は、外部の横方向の、または下部の第１の接触面２６４、および対向する内側の横断方向、または上部の第２の面２６５を画定する。マウンティングプレート２６２は、電気端子２２０の残りの部分より大きな横方向の厚さを有することができるか、または、電気端子２２０の残りの部分に関してほぼ一定の厚さを有することができる。
【００１９】
マウンティング部２２４は、マウンティングプレート２６２によって伴われる１対の横方向に間隔を置かれたひだ部材２６７のような少なくとも１つのひだ部材２６７をさらに有する。特に、それぞれのひだ部材２６７は、例証された実施例にしたがって接触面２６４から下降して先細の遠方端２６８ａに及ぶ複数のひだ歯２６８を有している。したがって、それぞれのひだ部材２６７は、結合する部分２２２が、マウンティング部２２４から間隔をおいて配置される方向とほぼ平行である方向に沿って、マウンティングプレート２６２から、例えば接触面２６４から延びることができる。例えば、それぞれのひだ部材２６７は、結合する部分２２２から、そしてしたがって近位および末端の領域、２５２ａおよび２５２ｃから、そしてしたがってさらに接触面２５８から離れる方向に沿って、マウンティングプレートから、延びることができる。近位の領域２５２ａは、末端領域２５２ｃとマウンティングプレート２６２との間、およびしたがって末端領域２５２ｃとひだ部材２６７との間に配置することができる。電気コネクタハウジング２０４は、コネクタハウジング２０４の頂部端部２０６およびコネクタハウジング２０４の底部端部２０８を画定することができる第１および第２の対向するハウジング表面を、それぞれ画定する。対向する第１および第２のハウジング表面の第１の１つは、例えば頂部端部２０６での、例えば底部端部２０８の補完的コネクタおよび対向する第２のハウジング表面と結合するように構成され、フラットフレックスケーブル２２を固定するように構成される。電気端子２２０は、第１の方向に沿って、第１のハウジング表面から外方に面するそれぞれの結合する部分２２２を画定し、さらに、ひだ歯２６８は、第１の方向から角度をなしてずれる第２の方向に沿って第２のハウジング表面から外方に面する。例えば、その第２の方向は、第１の方向に対向することができ、または代りに、第１の方向にほぼ垂直であることができる。電気端子２２０は、それぞれ、第１の表面から外方に面する結合部分２２２を画定し、そして、ひだ歯２６８は、第２の面から外方に面する。さらに、電気端子２２０は、この電気端子２２０の結合する部分２２２、および電気端子２２０のマウンティング部２２４で、例えば第１および第２の対向する表面を画定する。例えば、結合する部分２２２で、対向する面のうちの第１のものは、補完的なコネクタと結合するように構成され、かつ、例えば、マウンティング部２２４で、第１の面と対向して面する対向する第２の面は、フラットフレックスケーブル２２を固定するように構成される。
【００２０】
例証されるように、ひだ歯２６８は、マウンティングプレート２６２を介して横断方向に延びる穴２７０を生成するように、型押しするか、またはそうでなければマウンティングプレート２６２から切取ることができる。代りに、ひだ歯２６８は、個別にマウンティングプレート２６２に取付ける（例えば、溶接される）ことができる。それぞれのひだ部材２６７は、マウンティングプレート２６２を介して延びる横断方向の穴２７０の周りに相互から等距離に間隔を置かれる４つのひだ歯２６８を有する。それぞれのひだ部材２６７のひだ歯２６８は、それぞれのひだ部材２６７が、例証された実施例にしたがって星の形状に似ているように、周面、または他の湾曲面の周りに配列することができる。しかしながら、それぞれのひだ部材２６７が、少なくとも１つのひだ歯２６８であって、それは相互から等距離で、または変化して間隔を置かれるようなあらゆる数のひだ歯２６８も有することができることは、認識されるべきである。
【００２１】
動作中に、電気端子２２０のすべてまでの電気端子２２０の少なくとも１つは、結合する部分２２２での接触面２５８にほぼ垂直な指向性成分を有するスプリング力を提供するように構成することができる。例えば、接触面２５８は、結合する部分２２２が、補完的な電気端子に対して結合する部分２２２を、それによって確実に結合して、圧縮状態に（in compression）置かれるように、補完的な電気端子と機械的かつ電気的接触にもたらすことができる。例えば、接触面２５８、およびしたがって末端領域２５２ｃは、近位の領域２５２ａ、およびしたがってマウンティング部２２４に対する横断方向Ｔにおける力（例えば、補完的な電気端子によって加えられた）を受けるときに、中間の屈曲領域２５２ｂは、末端領域２５２ｃが、近位の領域２５２ａ、およびしたがってマウンティング部２２４に対する横断方向Ｔに沿って圧縮するように、屈曲する。ひだ部材２６７が、結合する部分２２２から、およびしたがって、近位および末端領域、２５２ａおよび２５２ｃから、そしてさらにしたがって、接触面２５８から離れる方向に沿ってマウンティングプレート２６２から延びるときには、その後、近位の領域２５２ａは、ひだ部材２６７がマウンティングプレート２６２から外方に延びる方向とほぼ同一の方向に沿って屈曲する。
【００２２】
図２Ａ−Ｂおよび図４を再び参照して、電気コネクタ２０２は、電気コネクタハウジング２０４に電気端子２２０を取付けることによって組み立てることができる。例えば、電気端子２２０は、初めに、支持スロット２３２の対応する１つおよび支持ポケット２３４の整列された１つと整列される。次に、それぞれの電気端子２２０は、コネクタハウジング２０４の前方端部２１０が、マウンティングプレート２６２と支持腕２５２の近位端２５２ａとの間に配置されたギャップ内に受けられるように、コネクタハウジング上にマウントされる。マウンティングプレート２６２は、整列された支持スロット２３２内に受けられ、さらに、腕２５２は、整列された支持ポケット２３４内に受けられる。電気端子２２０は、中間の領域２５２ｂが、ハウジング本体２０５の前方端部に当接するまで、コネクタハウジング２０４に関して後方に移動される。
【００２３】
電気端子２２０が、コネクタハウジング２０４上にマウントされるときに、各端子のマウンティングプレート２６２は、整列された支持スロット２３２内に配置され、さらに、腕２５２は、整列された支持ポケット２３４内に受けられる。腕２５２の近位および末端領域、２５２ａおよび２５２ｂの外部の横断方向の表面は、張出し２３５の下の位置で支持ポケット２３４のそれよりもわずかにそれ未満である横断方向の厚さを画定することができ、それは、腕２５２が、支持ポケット２３４内にプレス嵌めすることができるようにである。
【００２４】
さらに、それぞれの電気端子２２０は、コネクタハウジング２０４上に電気端子２２０を固定するように構成された少なくとも１つの支持部材を有することができる。例えば、この支持部材は、例えば支持腕２５２の近位の領域２５２ａから横方向外方に突出する１つまたはそれ以上の舌部２７２の第１のグループを有することができる。舌部２７２は、側壁２３８内、例えばノッチ２４０内にプレス嵌めされるように構成される。支持部材は、舌部２７２に関して後方に位置して、近位の領域２５２ａから外方に延びる突出部２７３をさらに有することができる。突出部２７３は、舌部２７２のそれに関してくぼんでいる位置まで横方向外方に延びることができ、それは、突出部が、ノッチ２４０の後方に位置して側壁２３８に対してプレス嵌めされるようにである。支持部材は、接点部分２５６の遠方端２６０から傾斜して突出する１つまたはそれ以上の舌部２７２の第２のグループをさらに有することができる。舌部２７２は、さらに望まれるような側壁２３８に対してプレス嵌めすることができる。さらに、支持腕２５２の近位および末端領域、２５２ａおよび２５２ｃ、の後端は、中間の領域２５２ｂとともに、張出し２３５の下にプレス嵌めすることができ、近位および末端領域、２５２ａおよび２５２ｃ、が、張出し２３５とポケット２３４の底部との間に圧縮されるようにである。電気端子２２０は、例証された実施例にしたがって記述してきたが、電気端子２２０が、あらゆる適切な代りの寸法および望まれるような形状を仮定することができることは、認識されるべきである。支持部材を有する近位の領域２５２ａは、ひだ部材２６７を有するマウンティング部２２４上に配置することができ、さらに、オーバーラップすることができることは、認識されるべきである。さらに、接触面２５８を有する末端領域２５２ｃは、支持部材を有する近位の領域２５２ａの上に配置し、かつ、オーバーラップすることができ、さらに、ひだ部材２６７を有するマウンティング部２２４の上に配置し、かつオーバーラップすることができる。
【００２５】
電気端子２２０は、後方へのマウント方向２２１に沿ってコネクタハウジング２０４上にマウントすることができる（図２Ａ参照）。電気端子２２０が、一旦、コネクタハウジング２０４上に搭載されると、端子２２０の結合する部分２２２は、補完的な電気装置と電気通信に置かれるように構成され、それは、センサ、またはプロセッサのような所望のあらゆる装置であることができるか、または代りに補完的な電気コネクタであることができ、それは、センサ、またはプロセッサのような他の電気装置に、順番に電気的に接続される。結合する部分２２２は、補完的な電気装置の補完的な電気端子と接触して偏倚されたスプリングであるように従順であることができる。
【００２６】
今度は図２Ａ−Ｂ、および５Ａ−Ｂを参照すると、マウンティング部２２４は、フラットフレックスケーブル２２上にひだ歯２６８をひだ折りすることによって、フラットフレックスケーブル２２に電気的に接続することができ、それによって、電気端子２２０をフラットフレックスケーブル２２を突きさす電気跡（electric trace）と電気通信に置くことができる。例えば、フラットフレックスケーブル２２は、ひだ歯２６８が、図５Ａにおいて示されるような第１の方向に沿ってフラットフレックスケーブル２２を貫通するように、コネクタハウジング２０４の底部端部２０８に対して置くことができる。次に、ひだ部材２６７は、先細の遠方端２６８ａは、フラットフレックスケーブル２２を貫通し、さらにそれを通って走る跡と接触する（図１を参照）ように、第１の方向とほぼ対向する第２の方向に沿ってひだ歯２６８を後ろに折り重ねさせる、ひだ歯２６８に対してもたらされるダイによって型押しすることができる。したがって、ひだ歯２６８は、型押し力の下で後ろに折り重なるように柔軟であることができる。型押し動作は、望まれるように、ひだ歯２６８を外部に、または内部に折り重ねさせることができる。したがって、そのダイは、ひだ歯２６８と接触させられるとともに、コネクタハウジング２０４の底部端部２０８は、型押し動作を支援するマンドレルを提供する。
【００２７】
型押し動作中に、コネクタハウジング２０４に加えられたひだ力を減少するために、コネクタハウジング２０４は、ひだ折り動作中に、コネクタハウジング２０４の完全性に対して構造上の支持を与えることができるように望まれるような、ひだ部材２６７でコネクタハウジング２０４の内部表面を支持することができる補強ツールのようなプレート、またはあらゆる適切な構造で強化することができる。代りに、図５Ｃにおいて例証されるように、マウンティング部２２４、およびしたがってマウンティングプレート２６２は、型押し動作中に、コネクタハウジング２０４から外方に延びることができ、それは、前記第２の表面２６５が、第１のダイのような支持に対して強化されるようにである。フラットフレックスケーブル２２は、隣接する先細の遠方端２６８ａ、例えばひだ歯２６８に隣接して置くことができ、さらに、ひだ歯２６８が、フラットフレックスケーブル２２を貫通して、フラットフレックスケーブル２２を通って延びるように、ひだ歯２６８に対してもたらす。第２のダイは、ひだ歯２６８に隣接して位置することができ、さらに、それは、フラットフレックスケーブル２２、およびマウンティング部２２４は、第１および第２のダイの間で配置されるようにである。第１および第２のダイは、それから、ひだ歯２６８が、フラットフレックスケーブル２２を貫通した後、相互に対してもたらすことができ、それによって、先細の遠方端２６８ａが、フラットフレックスケーブル２２内に埋め込まれているように、フラットフレックスケーブル２２に向かってひだ歯２６８を後ろに折り重ならせることができる。ひだ歯２６８が、望まれるように縮れなかったときは、任意の高さを有することができ、ひだ歯２６８の高さが増加するにつれて、ひだ歯２６８は、コネクタハウジング２０４に対して加えられる減少された型押し力の下のフラットフレックスケーブル２２に対してひだ折りすることができることは、認識されるべきものである。
【００２８】
したがって、フラットフレックスケーブル２２に対してひだ歯２６８をひだ折りすることは、電気端子２２０に、電気端子２２０の結合する部分２２２に結合される補完的な電気装置をフラットフレックスケーブル２２と電気通信に置くようにさせる。フラットフレックスケーブル２２は、このように、端子のマウンティング部２２４上にマウントされる、第１の端部、および、センサまたはプロセッサのような補完的な電気装置に電気的に接続される、対向する第２の端部を画定することができる。したがって、フラットフレックスケーブル２２は、プロセッサを電気端子２２０のマウンティング部２２４との電気通信に置くことができ、さらに、結合する部分２２２は、センサに電気的に接続することができる。反対に、フラットフレックスケーブル２２は、センサを電気端子２２０のマウンティング部２２４と電気通信に置くことができ、さらに、結合する部分２２２は、電気的にプロセッサに接続することができる。ひだ部材２６７は、電気コネクタ２０２が、生産の容易さに備える間に、コンパクト設計を有することを可能にしている一方で、補完的な電気装置に対する柔軟な接続を固定することができることは、認識されるべきである。
【００２９】
今度は図６Ｂ−Ｃを参照して、動作中に、応力をフラットフレックスケーブル２２上に置くことができることは認識されるべきである。例えば、ほぼ引張力が、フラットフレックスケーブル２２に加えられる場合、応力は、フラットフレックスケーブル２２とひだ歯２６８との間の接続の完全性に影響するかもしれない。したがって、電気コネクタ組立体２００は、電気コネクタ２０２を受けるように構成される負荷軽減組立体４００を有することができる。この負荷軽減組立体４００は、フラットフレックスケーブル２２に対する支持力を提供する少なくとも１つの支持力部材を有する。したがって、引張り、または引張力Ｆが、負荷軽減組立体４００から間隔をおいて配置された位置でフラットフレックスケーブル２２に加えられ、その引張力が支持力未満であるときは、その引張力は、支持力によって吸収され、それによって、フラットフレックスケーブル２２とひだ部材２６７との間の接続から引張力を分離する。
【００３０】
負荷軽減組立体４００は、第１、および第２の補完的な負荷軽減部材、４０２、および４０４を有する。第１の負荷軽減部材４０２は、平行に延び、さらに、コネクタハウジング２０４の底部端部２０８に当接するように構成された第１の支持壁４０６を有する。フラットフレックスケーブル２２が、ひだ部材２６７にマウントされるときに、第１の支持壁４０６は、フラットフレックスケーブル２２に当接することができ、さらにこのように、底部端部２０８に対してフラットフレックスケーブル２２を圧縮するように構成することができる。第２の負荷軽減部材４０４は、第１の支持壁４０６と対向する第２の支持壁４０８を有し、さらに、コネクタハウジング２０４の頂部端部２０６に当接するように構成され、それは、コネクタハウジング２０４が、第１および第２の支持壁４０６および４０８の間にはさまれるようにである。負荷軽減組立体４００は、第２の支持壁４０８を通って延びる接点アクセス窓４１０を画定する。接点アクセス窓４１０は、例証されるような電気端子２２０のうちの結合する端部２２２のすべてを、受けるように寸法どりすることができるか、またはそれぞれ結合する端部の選択の１つ、またはそれ以上を受ける個別のスロットを画定するように二またに分けることができる。接点アクセス窓４１０は、例えば、図７において例証されるような方向性の支持壁３０８の低部端で、囲むことができるか、または例証されるように開いていることができる。
【００３１】
第２の支持壁４０８は、電気端子２２０のうちの結合する端部２２２が、コネクタハウジング２０４の頂部端部２０６を越えて延びる量未満の厚さを有することができ、それは、結合する端部２２２が、接点アクセス窓４１０を通って延び、さらに補完的な電気コネクタの補完的な電気端子と結合することができるようにである。
【００３２】
負荷軽減組立体４００は、支持壁４０６および４０８のうちの１つまたは両方から延び、かつ対向する支持壁に向かって延びる底部４１１をさらに有することができる。底部４１１は、例証されるようなコネクタハウジング２０４の前方端部２１０を支持するように構成される。したがって、例証された実施例にしたがって、フラットフレックスケーブル２２は、コネクタハウジング２０４の底部端部２０８に沿って、または、後部端２１２から外方に延びる。例証された実施例にしたがって、底部４１１は、第１の支持壁４０６から第２の支持壁４０８に向かって延びる。
【００３３】
第２の負荷軽減部材４０４は、さらに、所望方向において、例えば角度的にずれた方向に、コネクタハウジング２０４から下降して、コネクタハウジング２０４の底部端部２０８に関して、ほぼ直角であるように、フラットフレックスケーブル２２を向けるカバー４１２を有する。代りに、第１の負荷軽減部材４０２は、コネクタハウジング２０４の前方端部２１０に関して、垂直のように、角度をなしてずれた方向に沿ってフラットフレックスケーブル２２を向けるカバーを有することができる。底部４１１は、フラットフレックスケーブル２２が、前方端部２１０から延びることができ、さらに、上に述べた方法において望まれるように向けることができるように、コネクタハウジング２０４の後端部２１２を代りに支持することができることは認識されるべきである。
【００３４】
負荷軽減組立体４００は、さらに、フラットフレックスケーブル２２上に圧縮支持力を加えることが望まれるように、構築することができる圧縮組立体４１４を有する。例証された実施例にしたがって、圧縮組立体４１４は、第２の支持壁に向かう方向に沿って第１支持壁４０６の対向する端部から前方に延び、さらに圧縮フランジ４１６の遠方端から内方に延びる支持リップ４１８を画定する圧縮フランジ４１６を有する。負荷軽減組立体４００は、支持リップ４１８と、第２の支持壁４０８の組合わせた厚さ、電気コネクタ２０２の高さ、およびフラットフレックスケーブル２２の厚さ、とほぼ等しいか、または、わずかにそれ未満である、次元Ｄを画定する第１の支持壁４０６との間のチャネル４２０を画定する。したがって、電気コネクタ２０２が、第１および第２の負荷軽減部材４０２と４０４との間に配置され、第２の支持壁４０８が、チャネル４２０に配置されるときに、圧縮力は、コネクタハウジング２０４の底部端部２０８と第１の支持壁４０６との間のフラットフレックスケーブル２２に加えられる。例証された実施例にしたがって、負荷軽減組立体４００は、コネクタハウジング２０２に対してフラットフレックスケーブル２２を直接圧縮することができる。しかしながら、負荷軽減組立体４００が、例えば、望まれるような中間部材によって、コネクタハウジング２０２に対してフラットフレックスケーブル２２を代りに間接的に圧縮することができることは、認識されるべきである。
【００３５】
したがって、圧縮力のある支持力は、そうでなければ、ひだ部材２６７とフラットフレックスケーブル２２との間の接続に、影響するかもしれないフラットフレックスケーブル２２に加えられる引張力に抵抗するフラットフレックスケーブル２２に対して加えられる。フラットフレックスケーブル２２に対する圧縮力のある支持力を提供するように第１および第２の負荷軽減部材４０２および４０４を取付けるか、または任意の所望の方法で効果的に連結することができることは、認識されるべきである。さらに、フラットフレックスケーブル２２が、コネクタハウジング２０４に対して圧縮されるので、例えば、電気コネクタ２０２が、使用の間に激しいインパクトおよび振動にさらされるときに、および、フラットフレックスケーブル２２が使用の間に引張りに置かれるときに、負荷軽減組立体４００が、フラットフレックスケーブル２２と電気端子２２０のマウンティング部２２４との間の接続の完全性を維持することは、認識されるべきである。
【００３６】
負荷軽減組立体４００は、電気コネクタ２０２の係合部材２４２を係合するように構成された係合部材４２２をさらに有することができる。例えば、係合部材４２２は、圧縮フランジ４１６内に延び、かつ電気コネクタ２０２のガイドレール２４９を受けるために寸法どりされる対向スロット４２４として提供することができる。このスロット４２４は、上に記述された方法で、第２の支持壁３０８が、電気コネクタ２０２および第１の支持壁４０６に対するフラットフレックスケーブル２２を圧縮することができるように、寸法どりされ、およびまたは位置決めすることができる。代りに、電気コネクタ２０２は、ガイドレール２４９を欠くことができ、さらに、第１および第２の負荷軽減部材、４０２および４０４、の間の圧縮は、所望位置に電気コネクタを支持することができる。
【００３７】
図７を参照して、この考案の特徴を組込む安全拘束システム１２を有する車両１０の一部分の概略図が示される。この考案は、この図において示される代表的な実施例に関して記述されるが、この考案は、多くの代りの形状の実施例において具体化することができることが理解されるべきである。さらに、部品または材料の任意の適切な寸法、形状、またはタイプをも使用することができる。
【００３８】
同様の安全拘束システムは、そのいずれの開示もその全体における参照によってここに組み入れられる米国特許６，１２９，１６８、および６，９３２，３８２において記述される。この安全拘束システム１２は、一般に、コントローラ１４、エアバッグ１６、１７、および座席１８に位置する着座センサ装置２０を有する。示された実施例においては、エアバッグ１６は、ハンドルにマウントされたエアバッグである。このエアバッグ１７は、シートベルトにマウントされたエアバッグである。コントローラ１４は、例えば、助手席側ダッシュボードにマウントされたエアバッグ、および側面にマウントされたエアバッグのような、車両１０における他のエアバッグに接続することができる。コントローラ１４は、それらの配備（deploy）を制御するために、エアバッグ１６、１７に接続される。コントローラ１４も、当業界で一般に知られているように、車両に関して配置された様々なセンサに接続される。
【００３９】
コントローラ１４に接続されたセンサのうちの１つは、座席１８に配置された着座センサ装置２０である。示された実施例において、着座センサ装置２０は、運転席において示される。１つまたはそれ以上の追加の着座センサ装置は、１つまたはそれ以上の助手席に位置することができる。着座センサ装置２０は、座席にすわる人のサイズおよび位置を決定するように適応される。着座センサ装置２０によって感知された情報は、コントローラ１４に送信されて、コントローラが、事故の場合にエアバッグ１６、１７が動員されるべきか否か、およびまたは、どのような力でかを、決定することができるようにする。
【００４０】
今度は、さらに図８−１０を参照して、着座センサ装置２０は、一般に、フラットフレックスケーブル、またはフレキシブルプリント回路（ＦＰＣ）２２、フレーム２４、および複数のホール効果センサ組立体２６を有する。コントローラ１４は、上に記述されたようにフラットフレックスケーブル２２にマウントされた電気コネクタ２０２、および、電気コネクタ２０２に結合され、エアバッグ１６、１７が動員されるべきか否か、およびまたは、どのような力でかを決定するために、様々なセンサから信号を受信するプロセッサを有する補完的な電気装置を有することができる。図８に最もよく見られるように、フレキシブルプリント回路２２は、マットの一般的な形状において提供される。このフラットフレックスケーブルマット２２は、接点部３０を備えた接続尾部２８を有する。電気導体３２は、フラットフレックスケーブルマット２２を介して延びて、電気絶縁によってカバーされる。フレーム２４は、一般的に成型プラスチックで構成される。フレーム２４は、フラットフレックスケーブルマット２２用の支持を提供する。フレーム２４は、フラットフレックスケーブルマット２２の底部側に対して位置する。図１１において示されるように、フレーム２４は、スナップロックラッチが、フラットフレックスケーブルマット２２の頂部側に置かれるように、フラットフレックスケーブルマット２２における穴を介して延びる１対のスナップロックラッチ３４を有する。それぞれの対向する対のスナップロックラッチ３４は、フラットフレックスケーブルマット２２の頂部側においてその間に受取り領域３６を形成する。図９において最もよく示されるように、フレーム２４は、支持格子部４０によって相互に接続された支柱部３８を有する。支柱部３８は、一般的な平坦なディスク形状を有する。スナップロックラッチ３４は、支柱部３８の頂部側から延びる。したがって、支柱部３８は、それぞれの対のスナップロックラッチ３４間のフレーム２４の頂部側においてほぼ平坦な面４２を提供する。
【００４１】
今度は特に図１０を参照して、フレーム２４の一部分は、それに取付けられたホール効果センサ組立体２６のうちの１つで示される。図１０は、単に明瞭さのために、フラットフレックスケーブルマット２２を示すことなく、着座センサ装置を示す。フラットフレックスケーブルマット２２は、平坦面４２とホール効果センサ組立体２６の底部側との間に位置する。フラットフレックスケーブルマットは、ほぼ、センサ組立体２６の底部側と平坦面４２との間にはさまれる。
【００４２】
ホール効果センサ組立体２６は、一般的に、ハウジング４４、ホール効果センサ組立体４６、磁石４８、およびスプリング５０を有する。示された実施例において、着座センサ装置２０は、ホール効果センサ組立体２６のうちの１６個を有する（図８参照）。しかしながら、代りの実施例においては、着座センサ装置は、１６個より多くの、またはより少ないホール効果センサ組立体を有することができる。さらに、ホール効果センサ組立体は、フラットフレックスケーブルマット２２における任意の適切なタイプのアレイ内に配置することができる。
【００４３】
さらに、図１２−１６を参照して、ハウジング４４は、一般的に第１のハウジング部材５２と第２のハウジング部材５４とを有する。第１のハウジング部材５２は、好ましくは、成型プラスチック、または高分子材料から構成される。図１１および１２において最もよく見られるように、第１のハウジング部材５２は、一般的に基部５６および一般的な管部５８を有する。基部５６は、一般的に開口６２、スナップロック棚６４、および中央のスプリング空洞６６を有する拡張６０を有する。一般的な管部５８は、スプリング空洞の周りの基部５６の頂部側から上方方向に延びる。一般的な管部５８は、一般的に、２つの対向する屈曲した柱６８を有する。２つの柱６８は、その間に磁石移動路を画定する。より具体的には、その２つの柱６８は、下記に述べられるように、さらに以下に述べるように、磁石を収容する第２のハウジング部材５４を受けるようにされる領域７０を画定する。示された実施例において、それぞれの柱６８は、そこに整列スロット７２を有する。この整列スロット７２は、さらに下記に述べるように、第１のハウジング部材５２に第２のハウジング部材５４を移動可能に取付けるために使用される。この整列スロット７２の頂部側は、柱の横断部７４によって閉塞される。
【００４４】
特に図１３および１４を参照して、ホール効果センサ４６は、第１のハウジング部材５２の内部に、少なくとも部分的に収容される。したがって、この第１のハウジング部材５２およびホール効果センサ４６は、第１の半組立体８２を形成する。この考案の好ましい実施例においては、第１のハウジング部材５２は、ホール効果センサ４６の部分の上に重ね成型される（overmolded）重ね成型されたハウジングを有する。ホール効果センサ４６は、一般的に、感知部７６、および３つの電気リード７８を有する。１つのリードは、電力用であり、１つのリードは、接地用であり、そして、１つのリードは、信号用である。好ましい実施例においては、ホール効果センサ４６は、センサ４６に関する磁石の距離の連続信号送信方式を可能にする範囲確保センサである。しかしながら、代りの実施例においては、ホール効果センサは、ステップ可能（step capable）センサを使用することによるように、２つまたはそれ以上の範囲セッティングを信号送信するように適応することができる。
【００４５】
３つの電気リード７８は、第１のハウジング部材５２における拡張６０の開口６２を横切って橋渡しし、さらに特には、電気リード７８は、その上に重ね成型されたハウジング部材５２を有していない、露出した中間部を有する。電気リード７８は、重ね成型工程によって第１のハウジング部材５２に固定して取付けられている遠方端８０を有する。したがって、第１のハウジング部材５２は、相互に関して固定した、間隔をおいて配置した向きに、および、重ね成型されたハウジング部材５２に関する固定された向きに、電気リードの露出した中間部を支持する。
【００４６】
特に図１５および１６を参照して、第２のハウジング部材５４は、一般的に、好ましくは、成型プラスチック、または高分子材料から構成された一体の部材を有する。第２のハウジング部材５４は、一般的に、管形状部８４、頂部８６、および管形状部８４の底部を形成するスナップロックラッチ８８を有する。磁石４８は、頂部８６の底部側に対する管形状部８４の内側に位置する。磁石８４は、好ましくは、第２のハウジング部材に挿入されたプレス嵌めである。したがって、第２のハウジング部材５４および磁石４８は、第２の半組立体９０を形成する。
【００４７】
図１０において見られるように、スプリング５０は、２つの半組立体８２、９０の間に接続される。スプリング５０の第１の端部は、第１のハウジング部材５２（図１２参照）のスプリング空洞６６に位置し、さらに、スプリングの第２の対向する端部は、第２のハウジング部材５４の管形状部８４の内側に位置する。スプリング５０の第２の対向端は、磁石４８の底部側に対して直接位置する。スプリング５０は、図１０において示されるような上方向きの方向に第２の半組立体９０を偏向する。好ましい実施例においては、スプリングは、それが磁界に影響しないように、非鉄金属材料から構成される。
【００４８】
２つの半組立体８２、９０およびスプリング５０を一緒に組み立てるために、スプリングは、スプリング空洞６６内に置かれ、さらに、第２の半組立体９０は、２つの柱６８間の領域７０に入る第２のハウジング５４の底部を備えた矢印９２によって示されるような第１の半組立体８２の頂部内に挿入される。領域７０は、そこに第２のハウジング部材５４を摺動可能に受けるために、寸法どりされ、形づくられる。第２のハウジング部材５４が、領域７０内に挿入されるとともに、ラッチが柱６８の横断部７４によって過ぎるまで、スナップロックラッチ８８は、内方方向に弾性的に反らされる。スナップロックラッチ８８は、そのときに、２つの整列スロット７２の、外方に、そして内方に、反れることができる。このことは、第１のハウジング部材５２に、第２のハウジング部材５４のスナップロック接続を供与する。
【００４９】
スナップロック接続は、単に、第２の半組立体９０が、第１の半組立体８２から離脱するようになることを防ぐ。しかしながら、相互に２つの半組立体８２、９０の接続は、移動可能な接続を提供する。さらに具体的には、スナップロックラッチ８８の外方の部分は、整列スロット７２において垂直に滑るように適応される。また図１７を参照して、ホール効果センサ組立体２６は、図１０において示されるそれに近似して示されているが、この配位において、第２の半組立体９０は、内方方向における矢９２によって示されるように；さらに領域７０内に押し下げられている；このことは、弾力的に圧縮されているスプリング５０、およびホール効果センサ４６に接近して移動されている磁石４８において帰着する。力が、第２の半組立体９０の頂面上で減少するときは、スプリング５０は、第２の半組立体および磁石４８を、ホール効果センサ４６から離れる方向に移動することができる。この考案によって、２つのハウジング部材５２、５４の間の移動可能な接続は、磁石が、ホール効果中央の感知軸芯４７（図１３を参照）に沿ったホール効果センサ４６に向かったり、それから離れたり、移動することを可能にする入れ子式の嵌り込むタイプの移動を提供する。この移動可能な接続は、磁石４８が、ホール効果センサ４６によって平行から１０°以上出るのを防ぐことを意図している。好ましい実施例において、磁石は、単に反ることができ、または５−１０°だけ整列から移動することができる。
【００５０】
図１１および１４において最もよく見られるように、着座センサ装置２０は、電気端子９４を有する。さらに具体的には、示された実施例において、３つの端子９４は、センサ組立体２６のそれぞれに；すなわち、ホール効果センサ４６の電気リード７８のそれぞれの１つにつき１つの端子が供与されている。さらに図１８−２０を参照して、端子９４のうちの１つが、示される。端子９４は、それぞれ、一般的に一体の電気伝導性の部材を有する。好ましい実施例において、端子９４は、示された形状に型押しされたフラットシートメタルで構成される。端子９４は、一般的に、中央部９６、底部拡張部９８、頂部拡張部１００、および上方拡張側部１０２を有する。
【００５１】
端子９４は、センサ組立体２６が接続される前に、フラットフレックスケーブルマット２２に固定して取付けられている。さらに具体的には、端子９４は、そのマットを通って貫通して、底部拡張部９８を備えた、フラットフレックスケーブルマット２２の頂面に対して押され、マットにおける電気導体３２の別個のものとの機械的、かつ電気的な接続を形成するために外方および上方に変形する。センサ組立体２６が、フラットフレックスケーブルマット２２およびフレーム２４のスナップロックラッチ３４に接続されているときに、端子９４は、第１のハウジング部材５２の底部を介して、拡張６０の開口６２内に受けられる。ホール効果センサ４６の電気リード７８は、それぞれ、端子のうちの１つの側部１０２間の領域１０４内に位置する。
【００５２】
側部１０２は、その後、頂部拡張部１００との機械的および電気的な接続内に電気リード７８の中央露出部、および中央部９６の頂部側に対する側部１０２を留めるために、領域１０４に向かって内方に変形される。電気リード７８が、電気絶縁を有する場合には、頂部拡張部１００上の比較的シャープなエッジは、端子９４と電気リード７８の電気導体との間に電気的接触を保証するために電気絶縁を切り離すように適応される。しかしながら、代りの実施例において、任意の適切なタイプの端子、または、フラットフレックスケーブルマット２２の電気導体３２に電気リード７８を電気的に接続する方法を提供することができる。しかしながら、示された実施例において、端子９４は、側部１０２が、センサ組立２６が端子との接続から取り外されることを可能にするために、再び解放位置に移動することを可能にするようにされる。置換センサ組立は、故障した、または不完全なオリジナルのセンサ組立２６を置換えるために、フラットフレックスケーブルマットに接続することができる。したがって、好ましい実施例においては、フラットフレックスケーブルマットにおける導体に対するセンサ組立２６の電気接続は、好ましくは、取外し可能な接続である。代りの実施例において、電気接続は、取外し可能な接続を有さないことができる。
【００５３】
図１０を再参照して、センサ組立２６は、対向する対のスナップロックラッチ３４の頂部側を介して基部５６を挿入することにより、フレーム２４に取付けられている。第１のハウジング部材５２のスナップロック棚６４（図１２参照）は、スナップロックラッチ３４の部分の下に留まる。この考案は、従来の設計と異なり、フラットフレックスケーブルマットにフレームを取付けるために個別のロックを必要としない。この考案によって、第１のハウジング部材５２は、フレーム２４にフラットフレックスケーブルマットを取付けるためにロックとして機能する。ロックとしての第１のハウジング部材５２の使用は、着座センサ装置２０が、より少ない部品で製造されることを可能にする。着座センサ装置２０の組立体は、より少ないステップを有し、したがって、組み立てるのがより速い。
【００５４】
今度は図２１−２３Ｂを参照して、図１において例証された電気コネクタ組立体２００は、電気コネクタ２０２に関してほぼ上に記述されたように構築されるが、結合する部分３２２および対向するマウンティング部３２４をそれぞれ画定する代りの実施例にしたがって構築された電気端子３２０を有する電気コネクタ３０２を有することができる。例えば、電気コネクタ２０２のひだ部材２６７は、ひだ歯２６８が図４において例証されるように結合部分２２２から離れて横断方向外方に延びるように向けられている間に、電気コネクタ３０２の電気端子３２０は、ひだ歯２６８が、結合する部分３２２に向かって横断方向内方に延びるように向けられるひだ歯３６７を有する。
【００５５】
例証された実施例にしたがって、電気コネクタ３０２は、誘電性、または、電気絶縁性のコネクタハウジング３０４を有する。コネクタハウジング３０４は、頂部端部３０６、対向する底部端部３０８、前方端部３１０、対向する端部３１２、および対向する側面３１４を画定するほぼ長方形のハウジング本体３０５を有する。対向する側面３１４は、長手方向Ｌに沿って別々に間隔を置かれる、前方端部および後部端部、３１０および３１２は、長手方向Ｌに関してほぼ垂直の横方向Ａに沿って別々に間隔を置かれ、さらに、頂部および底部端部、３０６および３０８は、横方向Ａおよび長手方向Ｌに関してほぼ垂直の横断方向Ｔに沿って別々に間隔を置かれる。例証された実施例にしたがって、横断方向Ｔは、垂直に向けられ、また、電気コネクタ３０２の方向付けが、使用の間に変化することができることは認識されるべきであるが、縦方向および横方向、ＬおよびＡ、は、水平に向けられる。例証された実施例にしたがって、コネクタハウジング３０４は、長手方向に延びるように例証される。
【００５６】
コネクタハウジング３０４は、頂部端部３０６に近接して配置された結合するインターフェース３１６、および底部端部３０８に近接して配置されたマウンティングインターフェース３１８を画定する。このマウンティングインターフェース３１８は、結合するインターフェース３１６が、効果的に第２の補完的な電気コネクタを係合するように構成される間に、図１において例証されたフラットフレックスケーブル２２のようなフラットフレックスケーブルを効果的に係合するように構成される。
【００５７】
電気コネクタ３０２は、電気的に伝導性であり、かつコネクタハウジング３０４によって支持される複数の電気端子３２０を有する。電気コネクタ３０２は、望まれるような任意の数の電気端子３２０をも有することができる。この電気端子３２０は、それぞれ、結合するインターフェース３１６に近接して配置される結合する部分３２２、および、マウンティングインターフェース３１８に近接して配置される対向するマウンティング部３２４を画定する。特に、結合する部分３２２は、頂部端部３０６に沿ってほぼ横方向に延び、さらに、電気端子３２０のマウンティング部３２４は、底部端部３０８に沿ってほぼ横方向に延びる。コネクタハウジング３０４は、図３Ａ−Ｂに関して上に記述された方法において、ハウジング本体３０５によって伴われる複数の接点整列および支持部材を有することができる。
【００５８】
コネクタハウジング３０４は、さらに、補完的な電気装置によって電気コネクタ３０２の結合を容易にする補完的な装置の補完的な係合部材を係合するように構成される少なくとも１つの係合部材３４２を有することができる。係合部材３４２は、コネクタハウジング３０４の側部３１４から横方向に延び、かつ、正面および後部端部、３１０および３１２、の間に延びる１対のガイドレール３４９を有することができる。したがって、電気コネクタ３０２が、１つの実施例にしたがって例証されることは認識されるべきであり、さらに、電気コネクタ３０２は、１対の補完的な電気装置を電気的に接続するように多数の実施例にしたがって構築することができる。
【００５９】
それぞれの電気端子３２０は、結合する部分３２２およびマウンティング部３２４、さらに、結合する部分３２２とマウンティング部３２４との間を接続した中間の部分３５０を画定する。例証された実施例にしたがって、中間の部分３５０が、垂直に延び、さらに第１または頂部端部３５０ａ、および、対向する第２の、または底部端部３５０ｂを画定する脚体として例証される。結合する部分３２２は、頂部端部３５０ａから延び、さらに、マウンティング部３２４は、底部端部３５０ｂから延びる。
【００６０】
例証された実施例にしたがって、結合する部分３２２は、近位の領域３５２ａ、末端領域３５２ｃ、および近位の領域３５２ａと末端領域３５２ｃとの間を接続される柔軟な中間の屈曲領域３５２ｂを画定する腕３５２を有する。近位の領域３５２ａは、中間の部分３５０から角度的にずれた方向に、中間の部分３５０の頂部端部３５０ａから横方向後方に延びる。例証されるように、結合する部分３２２の近位の領域３５２ａは、中間の部分３５０に関してほぼ垂直に延びる。中間の領域３５２ｂは、近位の領域３５２ａの後端からほぼ１８０°のほぼＵ−形の屈曲を画定する。したがって、末端領域３５２ｃは、エルボ３５４および、このエルボ３５４から前方および横断方向に延びる接点部分３５６に対する近位の領域３５２ａにほぼ平行な方向に沿った中間の領域３５２ｂから前方に延びる。接点部分３５６は、ほぼ鈎形であるように例証され、接触面３５８、および中間の部分３５０に向かって接触面３５８から下に延びる遠方端部３６０を画定する。遠方端部３６０は、例証されるように中間の部分３５０とほぼ垂直に整列されるか、または望まれるような中間の部分３５０に関して内方に間隔を置かれる（例えば、窪んだ）ような中間の部分３５０と整列することができる。
【００６１】
マウンティング部３２４は、中間の部分３５０から角度的にずれた方向に中間の部分３５０の底部端部３５０ｂから横方向後方に延びるほぼフラットのマウンティングプレート３６２として構成することができるマウンティング部材を有するものとして例証される。例証されるように、マウンティングプレート３６２は、中間の部分３５０に関してほぼ垂直であり、結合する部分３２２の近位の領域３５２ａとほぼ平行である方向に沿って、水平面においてほぼ水平に延びる。マウンティングプレート３６２は、外部の横断方向、またはより低い接触面３６４、および対向する内部の横断方向、またはより上部表面３６５を画定する。マウンティングプレート３６２は、電気端子３２０の残りの部分より大きな横断方向の厚さを有することができるか、または電気端子３２０の残りの部分に関してほぼ一定の厚さを有することができる。
【００６２】
マウンティング部３２４は、マウンティングプレート３６２によって伴われる１対の横方向に間隔を置かれたひだ部材３６７のような、少なくとも１つのひだ部材３６７をさらに有する。ひだ歯３６８は、先細の遠方端３６８ａを画定し、例証された実施例にしたがって接触面３６４から先細の遠方端３６８ａまで延びることができる。電気端子３２０は、ひだ部材３６７が、マウンティングプレート３６２と支持腕３５２との間に配置された凹部３５５に配置されるように結合する部分３２２に向かう方向に沿ったそれぞれの先細の遠方端３６８ａに向かう接触面３６４から上方に延びる例外を除いて、電気端子２２０に関して、上に記述されるように構築される。したがって、それぞれのひだ部材３６７は、結合する部分３２２が、マウンティング部３２４から間隔をおいて配置される方向とほぼ平行である方向に沿って、マウンティングプレート３６２、例えば接触面３６４から延びることができる。例えば、それぞれのひだ部材３６７は、結合する部分３２２に向かう、およびしたがって、近位のおよび末端領域、３５２ａおよび３５２ｃに向かう、およびさらに接触面３５８に向かう、方向に沿ってマウンティングプレート３６２から延びることができる。近位の領域３５２ａは、末端領域３５２ｃとマウンティングプレート３６２との間に、およびしたがって、末端領域３５２ｃとひだ部材３６７との間に配置することができる。
【００６３】
動作中に、電気端子３２０のすべてまでの電気端子３２０の少なくとも１つは、結合する部分３２２で接触面３５８にほぼ垂直な指向性の成分を有するスプリング力を提供するように構成することができる。例えば、接触面３５８は、結合する部分３２２が、圧縮状態に置かれ、それによって、補完的な電気端子に対して、結合する部分３２２を確実に結合するように、補完的な電気端子によって機械的かつ電気的接触にもたらされることができる。例えば、接触面３５８、およびしたがって末端領域３５２ｃが、近位の領域３５２ａに向かって、およびしたがってマウンティング部３２４（例えば、補完的な電気端子によって適用された）に向かって、横断方向Ｔにおいて力を受けるときに、中間の屈曲している領域３５２ｂは、末端領域３５２ｃが近位の領域３５２ａ、およびしたがってマウンティング部３２４に向かって横断方向Ｔに沿って圧縮するように曲がる。ひだ部材３６７が、結合する部分３２２に向かう、およびしたがって近位および末端領域、３５２ａおよび３５２ｃ、に向かう、およびさらにしたがって接触面３５８に向かう、方向に沿って、マウンティングプレート３６２から延びるときに、その後、近位の領域３５２ａは、ひだ部材３６７がマウンティングプレート３６２から延びる方向とほぼ対向する方向に沿って屈曲する。
【００６４】
上に記述されたように、コネクタハウジング３０４は、コネクタハウジング３０４の頂部端部３０６を画定することができる第１のハウジング表面、およびコネクタハウジング３０４の底部端部３０８を画定することができる第２のハウジング表面を有する。例えば、頂部端部３０６で、第１および第２のハウジング表面の第１のものは、補完的コネクタと結合するよう構成され、例えば、底部端部３０８で、対向する第２のハウジング表面は、フラットフレックスケーブル２２を固定するように構成される。電気端子３２０は、第１の方向に沿って第１のハウジング表面から外方に面するそれぞれの結合する部分３２２を画定し、さらに、ひだ歯３６８は、ほぼ同一である、そしてしたがって第１の方向と一致する第２の方向に沿って、第２のハウジング表面から外方に面する。電気端子３２０は、第１の面から外方に面する、それぞれの結合する部分３２２を画定し、さらに、ひだ歯３６８は、第２の表面から外方に面する。さらに、電気端子３２０は、例えば、電気端子３２０の結合する部分３２２で、および電気端子３２０のマウンティング部３２４で、第１および第２の対向する面を画定する。例えば結合する部分３２２で、対向する面の第１のものは、補完的コネクタと結合するように構成され、さらに、例えばマウンティング部３２４で、対向する第２の面は、フラットフレックスケーブル２２を固定するように構成される。第１の表面は、第１の方向に面し、さらにひだ歯３６８は、フェース面に直面する場合があり、第１の方向とほぼ一致する第２の方向に沿って第２の面に面し、かつそれから外方に延びることができる。
【００６５】
例証されるように、ひだ歯３６８は、マウンティングプレート３６２を介して横断方向に延びる穴３７０を作り出すように、型押しするか、または、そうでなければ、マウンティングプレート３６２からカットすることができる。代りに、ひだ歯３６８は、個別にマウンティングプレート３６２に取付ける（例えば、溶接する）ことができる。それぞれのひだ部材３６７は、マウンティングプレート３６２を介して延びる横断方向の穴３７０に関して相互から等距離で間隔を置かれる４つのひだ歯３６８を有する。ひだ歯３６８は、それぞれのひだ部材３６７が、例証された実施例にしたがって星の形状に似ているように配列される。しかしながら、それぞれのひだ部材３６７が、少なくとも１つのひだ歯３６８のように、相互から等距離に、または可変に間隔を置かれる任意の数のひだ歯３６８を有することができることは認識されるべきである。
【００６６】
さらに、それぞれの電気端子３２０は、この電気端子３２０をコネクタハウジング３０４に固定するように構成された少なくとも１つの支持部材を有することができる。例えば、支持部材は、支持腕３５２の近位の領域３５２ａから横方向外方に、例えば突出する１つまたはそれ以上の舌部３７２の第１のグループを有することができる。支持部材は、さらに、舌部３７２に関して後方に位置して近位の領域３５２ａから外方に延びる突出部３７３を有することができる。突出部３７３は、舌部３７２のそれに関して窪んでいる位置まで横方向外方に延びることができる。支持部材は、さらに、接触部分３５６の遠方端３６０から傾斜して外方に突出する１つまたはそれ以上の舌部３７２の第２のグループを有することができる。電気端子３２０は、例証された実施例にしたがって記述されてきたが、電気端子３２０が任意の適切な代りの寸法および望まれるような形状をも仮想することができることは、認識されるべきである。
【００６７】
ひだ歯３６８は、上に記述された方法で、フレキシブルプリント回路に固定することができる。例えば、フレキシブルプリント回路は、ひだ歯２６８が、フレキシブルプリント回路を貫通するように、ひだ歯２６８に対して位置することができる。次に、マウンティングプレート３６２の底部表面は、先細の遠方端２６８ａが、フレキシブルプリント回路を貫通し、さらにそれを介して走る跡と接触するように、ひだ歯２６８をコネクタハウジング３０４に対して後方に折り重ならせるダイによって型押しすることができる。型押し動作は、望まれるように、ひだ歯２６８を、外方または内方に重ねさせることができる。
【００６８】
型押し動作中に、コネクタハウジング３０４に加えられたひだ力を縮小するために、コネクタハウジング３０４は、プレート、または任意の適切な構造で強化することができ、それは、ひだ作り動作中にコネクタハウジング３０４の完全性に構造的な支持を供与することができる補強ツールのようである。ひだ歯３６８は、望まれるように縮れなかったときに、任意の高さを有することができ、ひだ歯３６８の高さが増加するとともに、そのひだ歯３６８は、コネクタハウジング３０４に対して加えられる減少した型押し力の下でフレキシブルプリント回路に対して縮れることができることは、認識されるべきである。
【００６９】
図２２を参照して、電気端子３２０は、それぞれの結合する部分３２２が、コネクタハウジング３０４にマウントされるように、後方へのマウンティング方向３２１に沿ってコネクタハウジング３０４上にマウントすることができる。電気端子３２０の製造中に作成された余材３５７は、電気端子３２０から取り除くことができ、さらに、電気端子３２０は、図２３Ｂにおいて例証された形状に曲げることができる。一旦、電気端子３２０は、コネクタハウジング３０４に搭載されると、端子３２０の結合する部分３２２は、補完的な電気装置と電気通信に置かれるように構成され、この装置は、センサ、またはプロセッサのような所望の任意の装置であることができ、または、代りに補完的な電気コネクタであって、センサ、またはプロセッサのような他の電気装置に順番に電気的に接続されるものであることができる。結合する部分３２２は、補完的な電気装置の補完的な電気端子と接触して偏倚したスプリングであるように、順応することができる。
【００７０】
電気端子２２０および３２０は、ある実施例にしたがって記述されてきたが、もし他の方法で示されなかったならば、それらは、望まれるような任意の適切な実施例にしたがって代りに構築することができることは認識される。例えば、図４および２３Ｂにおいて例証されるように、電気端子２２０および３２０の中間の領域２５２ｂおよび３５２ｂは、それぞれ、マウンティングプレート２６２および３６２の遠方端２５９および３５９に関して横方向内方に（または、窪んで）、それぞれ配置することができる。代りに、中間の領域２５２ｂおよび３５２ｂは、遠方端２５９および３５９とほぼ整列して配置することができる。代りに、なお、中間の領域、２５２ｂおよび３５２ｂは、遠方端２５９および３５９に関して、横方向に側端側、または末端に配置することができ、それによって、それぞれの電気端子２２０および３２０の横方向の寸法を増加させる。例えば、図２４−２５を参照して、電気端子３２０の中間の領域３５２ｂは、マウンティングプレート３６２の遠方端３５９に関して側端側、または末端に延びるように例証される。したがって、結合する端部３２２が、横方向にマウンティング端部３２４を越えて延びることは、言うことができる。したがって、さらに、電気コネクタは、コネクタハウジングが、ハウジング内にマウントされた電気接点の横方向の寸法を収容するように望まれるような任意の適切な横方向寸法を画定するように、構築することができる。
【００７１】
さらに、図２６Ａ−Ｂにおいて例証されるように、マウンティング端部３２４は、コネクタハウジング３０４に対して電気端子３２０を固定するのを支援する支持部材を画定することができる。例えば、マウンティングプレート３６２は、マウンティングプレート３６２内に、および例証されるような遠方端３５９内に横方向に延びる１つまたはそれ以上の凹部の形で支持部材３７１を有することができ、それは、コネクタハウジング３０４の補完的な突出部の形で補完的な係合部材を受けることができる。代りに、支持部材３７１は、マウンティングプレート３６２から外方に延び、コネクタハウジング３０４の補完的な凹部に受けられる１つまたはそれ以上の突出部として提供することができる。
【００７２】
例証された実施例に関して記述された実施例は、例証経由で示されてき、さらに、したがって、この考案は、示された実施例に限定されるようには意図されない。さらに、上に記述したそれぞれの実施例の構造および特徴は、もし他の方法で示されなかったならば、ここに記述された他の実施例に適用することができる。例えば、電気コネクタ２０２およびその部品に関して記述し、例証された様々な特徴は、電気コネクタ３０２およびその部品内に組み込まれることができる。同様に、電気コネクタ３０２およびその部品に関して記述し、例証された様々な特徴は、電気コネクタ２０２およびその部品内に組み込まれることができる。したがって、当業者は、この考案が、例えば付加された請求項によって述べられるように、この考案の精神および範囲内に含まれた修正および代替構成をすべて包含するように意図されることを理解するであろう。
【図１】
0003178926.tif 000003
【図２Ａ】
0003178926.tif 000004
【図２Ｂ】
0003178926.tif 000005
【図３Ａ】
0003178926.tif 000006
【図３Ｂ】
0003178926.tif 000007
【図４】
0003178926.tif 000008
【図５Ａ】
0003178926.tif 000009
【図５Ｂ】
0003178926.tif 000010
【図５Ｃ】
0003178926.tif 000011
【図６Ａ】
0003178926.tif 000012
【図６Ｂ】
0003178926.tif 000013
【図６Ｃ】
0003178926.tif 000014
【図７】
0003178926.tif 000015
【図８】
0003178926.tif 000016
【図９】
0003178926.tif 000017
【図１０】
0003178926.tif 000018
【図１１】
0003178926.tif 000019
【図１２】
0003178926.tif 000020
【図１３】
0003178926.tif 000021
【図１４】
0003178926.tif 000022
【図１５】
0003178926.tif 000023
【図１６】
0003178926.tif 000024
【図１７】
0003178926.tif 000025
【図１８】
0003178926.tif 000026
【図１９】
0003178926.tif 000027
【図２０】
0003178926.tif 000028
【図２１】
0003178926.tif 000029
【図２２】
0003178926.tif 000030
【図２３Ａ】
0003178926.tif 000031
【図２３Ｂ】
0003178926.tif 000032
【図２４】
0003178926.tif 000033
【図２５】
0003178926.tif 000034
【図２６Ａ】
0003178926.tif 000035
【図２６Ｂ】
0003178926.tif 000036
【手続補正書】
【提出日】平成24年4月2日(2012.4.2)
【手続補正１】
【補正対象書類名】実用新案登録請求の範囲
【補正対象項目名】全文
【補正方法】変更
【補正の内容】
【実用新案登録請求の範囲】
【請求項１】
補完的な電気部品の電気端子に離脱可能に電気的に接続するように構成される接触面を画定する結合する部分と；
マウンティング部材およびこのマウンティング部材から延びるひだ部材を有し、このひだ部材は、第１の方向に沿ってフラットフレックスケーブルを貫通するように構成され、さらには、このフラットフレックスケーブルを電気端子のマウンティング部にマウントするようにひだ折りされたときに、折り重ねられ、かつ第１の方向とはほぼ反対の第２の方向に沿ってフラットフレックスケーブル内に貫通する柔軟なひだ歯を有するマウンティング部とを有し、
ひだ部材は、結合する部分がマウンティング部から間隔をおいて配置される方向とほぼ平行である方向に沿ってマウンティング部材から延びる電気端子。
【請求項２】
ひだ部材は、接触面から離れる方向に沿ってマウンティング部材から延びる請求項１記載の電気端子。
【請求項３】
ひだ部材は、接触面に向かう方向に沿ってマウンティング部材から延びる請求項１記載の電気端子。
【請求項４】
結合する部分は、近位の領域、末端領域、および近位の領域と末端領域との間を接続した柔軟な屈曲した中間の領域を有しており、その近位の領域は、補完的な電気端子と接触するように構成された接触面を画定し、それによって柔軟な屈曲した中間の領域を、近位の領域が末端領域に向かって圧縮するように曲げさせる、請求項１記載の電気端子。
【請求項５】
近位の領域は、ひだ部材がマウンティング部材から延びる方向とほぼ同一である方向に沿って圧縮する請求項４記載の電気端子。
【請求項６】
近位の領域が、ひだ部材がマウンティング部材から延びる方向とはほぼ対向する方向に沿って圧縮する請求項４記載の電気端子。
【請求項７】
近位の領域は、電気端子をコネクタハウジングに固定するように構成された支持部材を伴ない、さらには近位の領域は、マウンティング部を重なり合わせる請求項４記載の電気端子。
【請求項８】
末端領域は、近位の領域およびマウンティング部を重なり合わせる請求項７記載の電気端子。
【請求項９】
結合する部分とマウンティング部の間に接続される中間の部分をさらに有し、その結合する部分およびマウンティング部は、それぞれ、間隔を置いた中間の部分の第１および第２の位置から延びる請求項１記載の電気端子。
【請求項１０】
結合する部分およびマウンティング部が、相互に重なり合うように同一の方向に中間の部分から延びる請求項９記載の電気端子。
【請求項１１】
結合する部分は、近位の領域、末端領域、および近位と末端領域との間を接続される屈曲した領域を画定して、近位および末端の領域が相互に重なり合うような請求項１０記載の電気端子。
【請求項１２】
屈曲領域は、ほぼ１８０°屈曲を画定する請求項１１記載の電気端子。
【請求項１３】
それぞれのひだ歯は、先細の遠方端を画定する請求項１記載の電気端子。
【請求項１４】
補完的な電気コネクタと結合するように構成された、結合するインターフェースを画定する第１のハウジング表面、およびフラットフレックスケーブルを固定するように構成されるマウンティングインターフェースを画定する第２のハウジング表面を有するコネクタハウジングと；
ハウジングによって支持された少なくとも１つの電気端子であって、その電気端子は、第１のハウジング表面から外方に面する結合する部分、および第２の表面から外方に面しかつ電気端子のマウンティング部をフラットフレックスケーブルに電気的に接続するようにフラットフレックスケーブルを貫通するように構成される複数のひだ歯を有する少なくとも１つのひだ部材を有するマウンティング部を画定する電気端子と；
電気端子のマウンティング部が、フレックスケーブルに電気的に接続された後に、フラットフレックスケーブルをコネクタハウジングに対して圧縮して支持するように構成された負荷軽減組立体とを有してなり、
ひだ部材は、結合する部分がマウンティング部材から間隔をおいて配置される方向とほぼ平行である方向に沿ってマウンティング部材から延びる電気コネクタ組立体。
【請求項１５】
前記ひだ部材は、結合する部分から離れる方向に沿ってマウンティング部材から延びる請求項１４記載の電気端子。
【請求項１６】
前記ひだ部材は、結合する部分に向かう方向に沿ってマウンティング部材から延びる請求項１４記載の電気端子。
【請求項１７】
前記結合する部分は、近位の領域、末端領域、および近位の領域と末端領域との間に接続された柔軟な屈曲している中間の領域を有し、近位の領域は、補完的な電気端子と接続するように構成された接触面を画定し、それによって、柔軟な屈曲している中間の領域を、近位の領域が末端領域に対して圧縮するように曲げさせる請求項１４記載の電気端子。
【請求項１８】
近位の領域は、ひだ部材が、マウンティング部材から延びる方向とほぼ同じである方向に沿って圧縮する請求項１７記載の電気端子。
【請求項１９】
ひだ部材が、マウンティング部材から延びる方向とほぼ反対である方向に沿って近位の領域を圧縮する請求項１７記載の電気端子。
【手続補正２】
【補正対象書類名】明細書
【補正対象項目名】０００３
【補正方法】変更
【補正の内容】
【０００３】
１つの実施例にしたがって、電気端子は、結合する部分とこの結合する部分と統合するマウンティング部とを有する。結合する部分は、補完的な電気部品の電気端子に、取外し可能に、電気的に接続するように構成される。マウンティング部は、ひだ部材を有する。このひだ部材は、第１の方向に沿ってフレックスケーブルを通って貫通するように構成され、そしてさらに、折り返され、かつフラットフレックスケーブルを電気端子のマウンティング部にマウントするように縮れた（crimped）ときに第１の方向とはほぼ反対の第２の方向に沿ってフラットフレックスケーブル内に貫通するように構成された柔軟なひだ歯を有する。ひだ部材は、結合する部分がマウンティング部から間隔をおいて配置される方向とほぼ平行な方向に沿ってマウンティング部材から延びる。
【手続補正書】
【提出日】平成24年8月7日(2012.8.7)
【手続補正１】
【補正対象書類名】実用新案登録請求の範囲
【補正対象項目名】全文
【補正方法】変更
【補正の内容】
【実用新案登録請求の範囲】
【請求項１】
補完的な電気部品の電気端子に離脱可能に電気的に接続するように構成される接触面を画定する結合する部分と；
マウンティング部材およびこのマウンティング部材から延びるひだ部材を有し、このひだ部材は、第１の方向に沿ってフラットフレックスケーブルを貫通するように構成され、さらには、このフラットフレックスケーブルを電気端子のマウンティング部にマウントするようにひだ折りされたときに、折り重ねられ、かつ第１の方向とはほぼ反対の第２の方向に沿ってフラットフレックスケーブル内に貫通する柔軟なひだ歯を有するマウンティング部とを有し、
ひだ部材は、結合する部分がマウンティング部から間隔をおいて配置される方向とほぼ平行である方向に沿ってマウンティング部材から延びる電気端子。
【請求項２】
ひだ部材は、接触面から離れる方向に沿ってマウンティング部材から延びる請求項１記載の電気端子。
【請求項３】
ひだ部材は、接触面に向かう方向に沿ってマウンティング部材から延びる請求項１記載の電気端子。
【請求項４】
結合する部分は、近位の領域、末端領域、および近位の領域と末端領域との間を接続した柔軟な屈曲した中間の領域を有しており、その近位の領域は、補完的な電気端子と接触するように構成された接触面を画定し、それによって柔軟な屈曲した中間の領域を、近位の領域が末端領域に向かって圧縮するように曲げさせる、請求項１記載の電気端子。
【請求項５】
近位の領域は、ひだ部材がマウンティング部材から延びる方向とほぼ同一である方向に沿って圧縮する請求項４記載の電気端子。
【請求項６】
近位の領域が、ひだ部材がマウンティング部材から延びる方向とはほぼ対向する方向に沿って圧縮する請求項４記載の電気端子。
【請求項７】
近位の領域は、電気端子をコネクタハウジングに固定するように構成された支持部材を伴ない、さらには近位の領域は、マウンティング部を重なり合わせる請求項４記載の電気端子。
【請求項８】
末端領域は、近位の領域およびマウンティング部を重なり合わせる請求項７記載の電気端子。
【請求項９】
結合する部分とマウンティング部の間に接続される中間の部分をさらに有し、その結合する部分およびマウンティング部は、それぞれ、間隔を置いた中間の部分の第１および第２の位置から延びる請求項１記載の電気端子。
【請求項１０】
結合する部分およびマウンティング部が、相互に重なり合うように同一の方向に中間の部分から延びる請求項９記載の電気端子。
【請求項１１】
結合する部分は、近位の領域、末端領域、および近位と末端領域との間を接続される屈曲した領域を画定して、近位および末端の領域が相互に重なり合うような請求項１０記載の電気端子。
【請求項１２】
屈曲領域は、ほぼ１８０°屈曲を画定する請求項１１記載の電気端子。
【請求項１３】
それぞれのひだ歯は、先細の遠方端を画定する請求項１記載の電気端子。
【請求項１４】
補完的な電気コネクタと結合するように構成された、結合するインターフェースを画定する第１のハウジング表面、およびフラットフレックスケーブルを固定するように構成されるマウンティングインターフェースを画定する第２のハウジング表面を有するコネクタハウジングと；
ハウジングによって支持された少なくとも１つの電気端子であって、その電気端子は、第１のハウジング表面から外方に面する結合する部分、および第２の表面から外方に面しかつ電気端子のマウンティング部をフラットフレックスケーブルに電気的に接続するようにフラットフレックスケーブルを貫通するように構成される複数のひだ歯を有する少なくとも１つのひだ部材を有するマウンティング部を画定する電気端子と；
電気端子のマウンティング部が、フレックスケーブルに電気的に接続された後に、フラットフレックスケーブルをコネクタハウジングに対して圧縮して支持するように構成された負荷軽減組立体とを有してなり、
ひだ部材は、結合する部分がマウンティング部材から間隔をおいて配置される方向とほぼ平行である方向に沿ってマウンティング部材から延びる電気コネクタ組立体。
【請求項１５】
前記ひだ部材は、結合する部分から離れる方向に沿ってマウンティング部材から延びる請求項１４記載の電気コネクタ組立体。
【請求項１６】
前記ひだ部材は、結合する部分に向かう方向に沿ってマウンティング部材から延びる請求項１４記載の電気コネクタ組立体。
【請求項１７】
前記結合する部分は、近位の領域、末端領域、および近位の領域と末端領域との間に接続された柔軟な屈曲している中間の領域を有し、近位の領域は、補完的な電気端子と接続するように構成された接触面を画定し、それによって、柔軟な屈曲している中間の領域を、近位の領域が末端領域に対して圧縮するように曲げさせる請求項１４記載の電気コネクタ組立体。
【請求項１８】
近位の領域は、ひだ部材が、マウンティング部材から延びる方向とほぼ同じである方向に沿って圧縮する請求項１７記載の電気コネクタ組立体。
【請求項１９】
ひだ部材が、マウンティング部材から延びる方向とほぼ反対である方向に沿って近位の領域を圧縮する請求項１７記載の電気コネクタ組立体。